(57)【要約】  照明ヘッドは、基部上に装着され、取付台において光源を有する。基部は組立式の延長支柱に装着される。支柱はキャリーケースの外壁に装着される。ケースにはキャリーハンドルが備わり、更に、ケースの外壁、収納体、蓋体に装着される電源コンセントが備わっており、電線を差し込んで照明ヘッドに電力を供給する。ケースの内部には、充電式電池が配置され、電池が充電されると、照明ヘッドに電力が供給されるように電源コンセントへ電力を供給する。直流１２ボルトの自動車電池、又は１１０ボルト交流電源により充電することができる。キャリーハンドルは延長可能で、格納可能である。また、格納状態においては、実質的にケースの一般的な周辺空間内に収まる。ケースは、ケースの移動を容易にする一対の滑車輪を有する。
2011512625.tif 000002
【特許請求の範囲】
【請求項１】
共通基部に装着された照明ヘッドを備え、前記照明ヘッドは、取付台内に設けられた光源を有し、前記取付台は、組立式の伸縮自在の支柱に装着されており、前記支柱は、キャリーケースの外壁に装着され、
前記キャリーケースは、照明不使用時に、前記照明ヘッドと組立式の前記支柱を内部に位置づけるように構成されると共に、
更に、前記ケース用のキャリーハンドルと、
前記ケースの側壁に装着され、前記照明ヘッドに電力を供給するための電線の差し込みである電源供給口を備え、
前記ケースの内部に、充電式電池が位置づけられ、前記電池は、充電の際、前記電源供給口に電力が供給されることによって、前記照明ヘッドを付勢するように構成されている照明装置。
【請求項２】
前記支柱は、該支柱を伸縮又は折り畳み、異なる伸び率で選択的にロック、及び折り畳み状態では前記ケースの内部に配置できるように、相互に伸縮自在である部材を有する請求項１に記載の照明装置。
【請求項３】
前記支柱を前記ケースの外側に固定するための少なくとも一つの連結要素を含む請求項１に記載の照明装置。
【請求項４】
前記照明ヘッドを前記支柱の上部に固定するための少なくとも一つの接続要素を含む請求項１に記載の照明装置。
【請求項５】
前記照明ヘッドを前記支柱の上部に固定するための第二の連結要素を含む請求項１に記載の照明装置。
【請求項６】
前記キャリーハンドルは延長及び格納可能であり、格納状態においては実質的に前記ケースの周辺空間内に収まる請求項１に記載の照明装置。
【請求項７】
前記ケースは、前記ケースの移動を容易にする一対の滑車輪を含む請求項１に記載の照明装置。
【請求項８】
前記取付台における前記光源は、鋳造アルミニウム放熱器内に装着された多数のLEDのパネルを有する前記照明ヘッドを含む請求項１に記載の照明装置。
【請求項９】
前記照明ヘッドは、少なくとも一つの拡散体及び投光照明を含む請求項１に記載の照明装置。
【請求項１０】
前記光源は、前記ケースの側壁、蓋体、ケース上に装着する伸縮自在の前記支柱に装着され、前記ケースの内側には、直流１２ボルトの自動車用電池又は１１０ボルト交流電源により充電可能な充電器及び電池が備わる請求項８に記載の照明装置。
【請求項１１】
LEDのパネルは連結式照明パネルであり、前記ケースの側壁、蓋体、又は収容体に単数又は複数の電源供給口を有し、前記ケースは、比較的に耐水性及び耐塵性を有するプラスチックから形成され、耐性を促すために前記ケースの可動部材間に封止部材が設けられた請求項８に記載の照明装置。
【請求項１２】
前記ケースは、前記ケースの移動を容易にするために、滑車輪及び伸張ハンドルを備える請求項１１に記載の照明装置。
【請求項１３】
前記ケースは、各々照明又は前記照明の他の部材を収容するように形成された仕切室を有する請求項１１に記載の照明装置。
【請求項１４】
共通基部に装着された照明ヘッドを備え、前記照明ヘッドは、取付台内に設けられた光源を有し、前記取付台は、組立式の伸縮自在の支柱に装着されており、前記支柱は、キャリーケースの外壁に装着され、
前記キャリーケースは、照明不使用時に、前記照明ヘッドと組立式の前記支柱を内部に位置づけるように構成されると共に、
更に、前記ケース用のキャリーハンドルと、
前記ケースの側壁に装着され、前記照明ヘッドに電力を供給するための電線の差し込みである電源供給口を備え、
前記ケースの内部に、充電式電池が位置づけられ、前記電池には、充電の際、前記電源供給口に電力が供給されることによって、前記照明ヘッドを付勢するように構成されており、
前記支柱は、該支柱を伸縮又は折り畳み、異なる伸び率で選択的にロック、及び折り畳み状態では前記ケースの内部に配置できるように、相互に伸縮自在である部材を有し、並びに、
前記支柱を前記ケースの外側に固定するための少なくとも一つの連結要素と、
を備える照明装置。
【請求項１５】
前記キャリーハンドルは延長及び格納可能であり、格納状態においては実質的に前記ケースの周辺空間内に収まる請求項１４に記載の照明装置。
【請求項１６】
前記ケースは、前記ケースの移動を容易にする一対の滑車輪を含む請求項１４に記載の照明装置。
【請求項１７】
前記取付台における前記光源は、鋳造アルミニウム放熱器内に装着された多数のLEDのパネルを有する前記照明ヘッドを含む請求項１６に記載の照明装置。
【請求項１８】
前記光源は、前記ケースの側壁、蓋体、ケース上に装着する伸縮自在の支柱に装着され、前記ケースの内側には、直流１２ボルトの自動車用電池又は１１０ボルト交流電源により充電可能な充電器及び電池が備わる請求項１７に記載の照明装置。
【請求項１９】
LEDのパネルは連結式照明パネルであり、前記ケースの側壁、蓋体、又は収容体に単数又は複数の電源供給口を有し、前記ケースは、比較的に耐水性及び耐塵性を有するプラスチックから形成され、耐性を促すために前記ケースの可動部材間に封止部材が設けられた請求項１８に記載の照明装置。
【請求項２０】
前記照明ヘッドは、少なくとも一つの拡散体及び投光照明を含む請求項１に記載の照明装置。
【発明の詳細な説明】
【技術分野】
【０００１】
本発明は、持ち運びできる照明器具（portable light）と、不使用時に上記照明器具を収納し持ち運ぶためのケースに関する。
【背景技術】
【０００２】
持ち運びのできる照明器具は緊急時だけでなく、建設現場、工業施設、自動車工場、車体修理工場、芸術家や写真家のスタジオ、及び住居周辺の日曜大工などの様々な場面において役立つ。これらの照明器具は、広範囲にわたって高水準の照明を提供する。上記照明器具は、一般的に組込式の低い支持スタンドを用いて、地面や他の作業面の安定した位置に設置したり、作業面からより高く離すために、支柱や伸縮自在の支柱（extendible pole）などの直立スタンドに固定される。
【発明の概要】
【発明が解決しようとする課題】
【０００３】
緊急地へ簡単に移動できる非常用照明器具が必要とされる場合がある。同様に、特定の事業、例えば建設事業では、照明器具が非常に広く用いられるため必須品となっている。
【０００４】
例えば、照明器具を小型トラックの荷台で保管と輸送、及び照明を収納するに際して、好ましくない損傷や破損の可能性を回避することが必要である。一部の既知の照明器具は、ケースの中に入っており、ケース内に詰め込むためには照明器具が分解されている必要がある。しかしながら、このやり方は効果的かつ効率的ではない。
【０００５】
小型ケースに入った持ち運びできる照明装置が必要とされている。更に、組立てに便利で、安全に保管でき、簡単に再組立てできる装置のみならず、使用にあたり、遠くや様々な場所へ簡単に持ち運べる装置が必要とされている。
【課題を解決するための手段】
【０００６】
照明器具及び照明器具を持ち運びや収納するためのケースを提供する。ケース本体は、照明器具を装着する延長可能な支柱用取付台を備える。充電式の電源はケース内に備えられる。更に、着脱可能な電気コードはケース及び光源に接続でき、それにより、光源に電力を供給する。
【０００７】
ケース内に収納された照明器具が使用可能となるにあたって、ケース及び照明器具は、部材の複雑な分解及び組み立てを必要としない。上記照明器具は、ケース内に詰め込まれる前に、照明の解体をほとんどまたは全く必要としない構成にすることができる。伸縮自在な支柱とともに使用される照明器具に対して、支柱は一般的に照明器具から分離した状態で、ケース内に都合よく配置されても良い。これは、ほとんどまたは全くの組み立てなしに使用可能な状態で照明器具をケースから取り出すことができ、また、都合よく即座にケースに詰め込むことができるという点において、使用者に大きな利便性を提供する。その上、装置一式（unit）は、輸送時に照明ヘッド（light head）を損傷から保護する方法でケース内に収納されている。
【０００８】
ケースには、個々の照明ヘッドを収容するように形成された一以上の区域（locations）、仕切室（bays）を有する部分（portion）が設けられている。上記区画又は仕切室は、照明ヘッドが安全な場所に置かれるように、ケースの下部又は上部に配置される。ケース内には、一以上の安全な固定具（anchors）が設けられても良い。照明台（light base）から照明ヘッドを分解することなく、照明台用空間を確保できるように、上部又は下部には、様々な面が形成されている。同様に、伸張可能な支柱（伸張支柱）及びコードを収納するための十分な空間が残されている。この空間配置は、拡散体（diffuser）及び投光照明のオプションに加えて、LED照明パネルや、高熱を発生する高電圧のハロゲン照明器具にとって特に望ましい。
【０００９】
上記開示の他の態様、利点、及び新規特徴は以下に記載される、又は下記明細書と実施形態を表す図面から当業者にとって自明である。
【図面の簡単な説明】
【００１０】
【図１】図１は、ケースに対して蓋体（lid）上に照明が装着されたケースの全体図である。上記ケースは垂直に配置されており、延長ハンドル及び滑車輪を示す。更に、ケースの側壁のコンセントに接続する電気ケーブルも示されている。
【図２】図２は、ケースに対して蓋体上に照明が装着されたケースの全体図であり、ここでは、水平方向にケースが配置され、照明器具が図１とは異なる形式で延長されている。ここでは、滑車輪及び照明器具に接続された電気ケーブルを示している。
【図３】図３は、本開示に係る、ケースを開いた構造の実施形態の図であって、充電式電池、支柱のハウジング（housing）、及び支柱とケースの様々な部材用の接続部のハウジングを示す。
【図４】図４は、光源及び取付台の全体図である。
【発明を実施するための形態】
【００１１】
照明装置は、基部１２上に装着された照明ヘッド１０を備える。照明ヘッド１０は取付枠１６に設けられた光源１４を有する。基部１２は組立式の伸縮支柱１８に装着される。支柱１８はキャリーケース２２の蓋体２０の外側に装着される。
【００１２】
照明不使用時には、キャリーケース２２内に、照明ヘッド１０、組立式の支柱１８、及び他の周辺部材が配置される。ケース２２には、いくつかのキャリーハンドル２４、２６、２８が備わっている。更に、電線３６を接続して照明ヘッド１０に電力を供給するために、ケース２２の側壁３４には二つの電源コンセント３０及び３２が装備されている。電線又はコード３６の長さは一般的に８フィート（２．４３ｍ）から１２フィート（３．６ｍ）であれば良い。
【００１３】
ケース２２は、収容基体３８及び蓋体２０を含む。ケース２２の内部には、充電式電池４０が配置され、電池が充電されると、照明ヘッド１０に電力が供給されるように電源コンセント３０及び３２へ電力を供給する。
【００１４】
支柱１８が伸張又は折り畳みできるように、支柱１８は相互に伸縮自在である部材１８a、１８b、１８c、１８d、１８e、及び１８fを含んでいる。これらの支柱の部材は、解除式ロック４０により異なる伸び率（degrees of extension）で選択的にロック状態にすることができる。折り畳み状態では、支柱の部材はケース２２の内部に配置される。
【００１５】
少なくとも一つの連結要素（connector element）４２は、支柱１８をケース２２における蓋体２０の外側に固定する。接続部材（connecting member）４４は、蓋体２０の外側に装着される。連結要素４２及び４４は、部材（要素）４２及び４４の角度を変化できる関係にある。このようなものとして、一形態として示すように、収容基体が地面付いた状態に、ケースを置いた場合、照明器具を垂直に延長することができる。他の形態として示すように、ケースの端部が地面に付くように置いた場合にも、照明器具を垂直に延長することができる。更に、連結要素４６は、照明ヘッド１０を支柱１８の上部に固定するためのものである。
【００１６】
キャリーハンドルの内の一つであるハンドル２６は延長可能で、ケース２２の本体に格納可能である。格納状態においては、ハンドルは実質的にケース２２の一般的な周辺空間内に収まる。ケース２２は、ケース２２の移動を容易にする一対の滑車輪４８を有する。
【００１７】
取付枠１６内の光源１０は、多数のLED５０のパネルを備える照明ヘッド１０を含み、鋳造アルミニウム放熱器（cast aluminum heat sink）５２内に装着されている。LED５０のパネルは、連結式照明パネルである。光源１０は、固定具（anchorage）４６を介して伸縮自在な支柱１８に装着されている。
【００１８】
異なる形態において、支柱１８の他端は、ケース２２の側壁、蓋体、又は上部に装着することができる。
【００１９】
ケース２２の内側には、直流１２ボルトの自動車電池、供給源、又は１１０ボルト交流電源により充電可能な充電器５８及び電池５６が備えられている。
【００２０】
ケース２２は、比較的に耐水性及び耐塵性の高いプラスチックから形成される。また、この耐性を促すために封止部材（シール）がケース２２の可動部材間に設けられる。
【００２１】
ケース２２は、ケース２２の下部及び上部に、各々区画されたハウジング、区域、又は仕切室６０及び６２を有する。各区画されたハウジング、区域、又は仕切室６０及び６２は、照明１０、又は照明や支柱１８の他の連結部材を各々収容するように形成されている。
【００２２】
装着具（mountings）（４２及び４４）は、支持支柱１７の装着を容易にし、照明器具を調整し、異なる方向へ照明の向きを変えることができると共に、ヘッドを回すことができるように、固定されている。
【００２３】
支持体（support）は、格納式で、伸縮自在型の典型的な支柱であって、照明器具から取り外すことができる。照明器具はノブにより締緩できる固定具によって保持され、取付具（bracket）で支柱に取り外し可能に固定される。構造と固定具についてはその他多くの構成が可能である。
【００２４】
照明ヘッド１０は取付台に装着されたLED５０のパネルを含み、照明LED５０を保持する室（chamber）を覆う保護用のガラス保護板（glass shield）６４を前面に有することがある。加えて、照明ヘッド１０は、実質的に平面光（flat light）を領域に与える拡散体のオプション、及び広範な円錐型の照明パターンを与える投光照明などのオプションを含む。
【００２５】
照明用のキャリーケースは、照明ヘッド１０を収容すると同時に、ベース部材支持体（base member support）１１に固定される。ケースの側壁には、電源コンセントボックス（electrical outlet box）２３が装着される。二つの独立したコンセントがあり、一方は照明器具に使用し、他方は電力を必要とする他の目的に使用することができる。
【００２６】
照明器具の部材は、ほとんど又は全く分解することなくケース２２内に収容することができる。支柱１７は、その格納され、取り外された形態であり、また、電気コード３６は機能的な長さでハウジング内に配置したり、固定具とともにケース内に配置したりできる。
【００２７】
ケースは下部３１及び上部３２を有する。上部は、一般的に従来型のケースに見られるような蝶番により、下部に固定される。これは一般的に、例えば蝶番６６及び６８などの二以上の蝶番による連結や、一つの細長い蝶番による連結により実現されるが、上部及び下部はいかなる簡便な手段により互いに固定されてもよい。例えば、従来型の蝶番による連結に代えて、一実施形態においては、取り外したときに上部が完全に分離できるように、それらの周辺近くを締め具で一緒に固定することが望ましい場合がある。
【００２８】
上部と下部を連結する特定の方法、及び固定方法は、一般的に「蝶番連結（hinged）」と表現される。
【００２９】
ケース２２の下部は、一以上のハウジング、仕切室、又は区画（compartments）６２及び６４を有し、照明１０及び他の支持部材を収納するように形成されている。
【００３０】
本開示によれば、下部は一般に照明ヘッド用の一以上の仕切室を有する。また、照明器具が下部におけるその保管場所にある場合には、ヘッドをその仕切室内に置けるように、上記仕切室が下部に配置される。
【００３１】
上部（即ち、上部ハウジング）６２の側壁における取付具７０によってケース２２内に、支柱１８は固定され、縮小した状態で格納される。ケース２２内の適当な位置に嵌合し、締め付け固定できるように、支柱１８に対して十分な空間が割り当てられる。ケース２２内には、照明ヘッド１０、取付具４６、他の取付具と連結具、電源コンセントボックス３０と３２の内側部分、並びにコード３６用の十分な空間が設けられている。
【００３２】
管状部材（tubular members）１８aから１８fはほぼ垂直に伸張する。更に、照明ヘッドのための取付具６０及び照明台部材は、延長可能な支柱１８に嵌合し、取付具によって照明ヘッドを適所に保持する。
【００３３】
ケース２２の上部は、ケースを構造的に一体化するために、若干隆起した部分を形成する。同様に、側面部材（side members）も構造的な一体化をもたらす。ケース２２の上部及び下部の縁は、ケースをぴったりと閉じるために、既知の方法である端部を嵌めあい関係にした締り嵌めを形成している。
【００３４】
図示された照明器具は、一般にLED照明と称される種類のものであるが、他の照明を用いることもできる。他の場合では、石英ハロゲン電球を用いてもよい。光源には、長寿命、より大きな発光効率、より高い色温度、及び経年による照明劣化がほとんど又は全くないものを設けるべきである。
【００３５】
生産を経済的に行うために、ケース部分は一般に一体型構造でブロー成形されることがある。それでもなお、いくつかの実施形態においては、ケース２２における別々に成形された下部又は上部の構造体（shell）内に固定される挿入物として、ハウジング、仕切室を形成することが望ましい場合がある。
【００３６】
照明IA装置は、基部上に装着される照明ヘッドを備える。照明ヘッドは、取付台において光源を有する。基部は組立式の伸縮自在支柱に装着される。支柱はキャリーケースの外壁に装着される。照明器具不使用時には、キャリーケース内に照明ヘッド及び組立式の支柱が内部に配置される。上記装置には、ケース用のキャリーハンドルが備わり、更に、ケースの外壁に装着される電源コンセントが備わっている。電線を差し込んで照明ヘッドに電力を供給するために電源コンセントが装備されている。ケースの内部には充電式電池が配置され、電池が充電されると、照明ヘッドに電力が供給されるように電源コンセントへ電力を供給する。
【００３７】
延長又は折り畳みできるように、支柱は、相互に伸縮自在である部材を含むことができる。これらの支柱の部材は、異なる伸び率で選択的にロックすることができる。折り畳み状態では、ケースの内部に収めることができる。
【００３８】
加えて、上記装置は少なくとも一つの連結要素を有し、上記連結要素は、支柱をケースの外側に固定する。更に、少なくとも一つの他の連結要素は、照明ヘッドを支柱の上部に固定する。第二の連結要素は、照明ヘッドを支柱の上部に固定する。
【００３９】
上記装置において、キャリーハンドルは延長可能及び格納可能である。また、格納状態においては、実質的にケースの一般的な周辺空間内に収まる。ケースは、ケースの移動を容易にする一対の滑車輪を有する。
【００４０】
上記装置において、取付枠内の光源は多数のLEDのパネルを備える照明ヘッドを含み、鋳造アルミニウム放熱器内に装着されている。更に、光源は少なくとも一つの拡散体及び投光照明を有する。光源は、ケースの側壁、蓋体、ケースに装着する伸縮自在な支柱に装着される場合がある。ケース内側には、直流１２ボルトの自動車電池、又は１１０ボルト交流電源により充電可能な充電器及び電池が備わる。
【００４１】
LEDのパネルは連結式照明パネルでもよく、ケースの側壁、蓋体、又は収容基体に単数又は複数の電源コンセント差込口を有する。ケースは、耐水性及び耐塵性の比較的高いプラスチックから形成され、耐性を促すためにケースの可動部材間には封止部材が設けられている。
【００４２】
上記ケースは、ケースの移動を容易にするために、滑車輪及び伸張ハンドルを備えることができる。上記ケースは、各々照明又は照明の他の部材を収容するように形成された仕切室を有することがある。
【００４３】
照明装置は、共通基部上に装着される照明ヘッドを備えている。照明ヘッドは、取付台内に設けられた光源を有する。基部は組立式の伸縮可能な支柱に装着される。支柱はキャリーケースの外壁に装着される。照明器具不使用時には、キャリーケース内に、照明ヘッド及び組立式の支柱が内部に配置される。上記装置には、ケース用のキャリーハンドルが備わり、更に、ケースの外壁に装着される電源コンセントが備わっており、電線を差し込んで照明ヘッドに電力を供給する。ケースの内部には、充電式電池が配置され、電池が充電されると、照明ヘッドに電力が供給されるように電源コンセントへ電力を供給する。支柱は、伸縮又は折り畳みできるように、相互に伸縮自在である部材を含むことができる。これらの支柱の部材は、異なる伸び率で選択的にロックすることができる。折り畳み状態では、ケースの内部に収めることができる。加えて、上記装置は少なくとも一つの連結要素を有する。上記連結要素は、支柱をケースの外側に固定する。キャリーハンドルは延長可能で、格納可能である。また、格納状態においては、実質的にケースの一般的な周辺空間内に収まる。
【００４４】
ケースは、ケースの移動を容易にする一対の滑車輪を有する。取付台における光源は、多数のLEDのパネルを備える照明ヘッドを含み、鋳造アルミニウム放熱器内に装着されている。更に、光源は少なくとも一つの拡散体及び投光照明を有する。光源は、ケースの側壁、蓋体、又は、ケースに装着する伸縮自在の支柱に装着される場合がある。ケース内側には、直流１２ボルトの自動車電池、又は１１０ボルト交流電源により充電可能な充電器及び電池が備えられている。
【００４５】
LEDのパネルは連結式照明パネルでもよく、ケースの側壁、蓋体、又は収容基体に単数又は複数の電源コンセント差込口を有する。ケースは、耐水性及び耐塵性の高いプラスチックから形成され、耐性を促すためにケースの可動部材間には封止部材が設けられている。
【００４６】
上記記述及び図面は、多様な実施形態に開示される様々な実施例を提供及び図示する。本開示は、これらの実施例や図示に限定されるものではなく、これらは態様の一例に過ぎない。
【００４７】
多様な改変および代替が可能である。開示された実施例からの様々なバリエーションは、下記の特許請求の範囲によって定義される開示の範囲内に属するものとする。
【図１】
2011512625.tif 000003
【図２】
2011512625.tif 000004
【図３】
2011512625.tif 000005
【図４】
2011512625.tif 000006
【国際調査報告】
2011512625.tif 000007
2011512625.tif 000008